(57)【要約】【解決手段】ブレスレット・ピン(８)を受け入れるようになっている第１のアタッチメント(２)および第２のアタッチメント(３)を含む、ブレスレット用の固定装置。これらアタッチメント（２、３）のうち少なくとも１つは、ピン(８)に対してほぼ平行な軸（２２、３２）を含み、この軸（２２、３２）は、ブレスレットを受け入れる本体(１)の横方向孔(１０)内に摺動自在に配置されるようになっている。さらに、この装置は、前記横方向孔(１０)と交差して本体(１)にある穴(１２)内に配置してあり、アタッチメント（２、３）の少なくとも１つをそれらの凹所内に錠止および解錠できるようにこれらアタッチメント（２、３）の少なくとも１つの軸（２２、３２）と協働する錠止要素(４)を含む。【選択図】図７ｂ
2007506087.tif 000002
【特許請求の範囲】
【請求項１】
ブレスレットのピン(８)を受け入れるようになっている第１のアタッチメント(２)および第２のアタッチメント(３)を含むブレスレットを固定する装置において、これらアタッチメント（２、３）のうち少なくとも１つが、ピン(８)に対してほぼ平行な軸（２２、３２）を含み、この軸（２２、３２）が、本体(１)の横方向孔(１０)内に摺動自在に配置してあり、また、前記横方向孔(１０)と交差して本体(１)の穴(１２)内に配置してあり、横方向孔(１０)内にこれらのアタッチメント（２、３）のうち少なくとも１つを錠止または解錠ができるようにアタッチメント（２、３）のうち少なくとも一方の少なくとも１つの軸（２２、３２）と協働する錠止要素(４)を含むことを特徴とする装置。
【請求項２】
アタッチメントが出張りの形で作ってあり、前記アタッチメントがブレスレットのピン(８)の一端を受け入れるように滑らかな穴（２６、３６）を備えた部分（２１、３１）を含むことを特徴とする、請求項１に記載の装置。
【請求項３】
摺動アタッチメント(２)の前記軸（２２）が溝（２５）を含み、前記マーキング要素(４)が突起（４２）を含み、この溝とこの突起（２５、４２）が協働してその横方向孔(１０)内でアタッチメント(２)を軸線方向に錠止したり、解錠したりすることを特徴とする、請求項１、２のうちのいずれか１つに記載の装置。
【請求項４】
前記錠止要素(４)が、アタッチメント（２、３）の軸（２２、３２）が突入する長方形の開口部（４１）を含むことを特徴とする、請求項１〜３のうちのいずれか１つに記載の装置。
【請求項５】
前記錠止要素(４)が面取り部（４３）を含み、この面取り部（４３）が、摺動アタッチメント(２)の軸（２２）に設けた対応する面取り部（２７）と協働し、前記横方向孔(１０)の軸線方向に前記アタッチメント(２)に圧力をかけることによって、これら２つの部片を相互に嵌合させることができるようになっていることを特徴とする、請求項１〜４のうちのいずれか１つに記載の装置。
【請求項６】
前記錠止要素(４)が押しボタンの形をしており、戻しばね(７)が、この押しボタン(４)をその錠止位置に保持するのに必要な力を与えていることを特徴とする、請求項１〜５のうちのいずれか１つに記載の装置。
【請求項７】
本体(１)が腕時計ハウジングの時計ケースによって構成してあることを特徴とする、請求項１〜６のうちのいずれか１つに記載の装置。
【請求項８】
ブレスレットのピン(８)を受け入れるようになっている第１のアタッチメント(２)および第２のアタッチメント(３)を含むブレスレットを固定する装置において、これらアタッチメント（２、３）のうち少なくとも１つが、ピン(８)に対してほぼ平行な軸（２２、３２）を有し、この軸（２２、３２）が、本体(１)の横方向孔(１０)内に回動自在に配置してあり、また、横方向孔(１０)と交差して本体(１)の少なくとも１つの盲孔(１１)内に配置した少なくとも１つの保持要素（５）を含み、この保持要素（５）が、アタッチメント（２、３）の少なくとも１つの軸（２２、３２）と協働して横方向孔(１０)内でのこれらのアタッチメント（２、３）の保持と当時に回動も可能にしていることを特徴とする装置。
【請求項９】
２つのアタッチメント（２、３）の各々が、前記本体(１)の記横方向孔(１０)内に回動自在に配置されるようになっている軸（２２、３２）を含み、軸（２２、３２）の各々が前記保持要素(５)の１つと協働することを特徴とする、請求項８に記載の装置。
【請求項１０】
２つのアタッチメント（２、３）の軸（２２、３２）が、前記横方向孔(１０)内で、端部に設けたフラップ（２４、３４）によって、結合し、２つのアタッチメント（２、３）の回動を同期させることを特徴とする、請求項８または９に記載の装置。
【請求項１１】
前記軸（２２、３２）の各々が、１８０度より大きい輪郭を有するノッチ（２３、３２）を含み、この輪郭がアタッチメント（２、３）の最大回動角度を決定することを特徴とする、請求項８〜１０のうちのいずれか１つに記載の装置。
【請求項１２】
前記保持要素（５）が、本体(１)に固定されるようになっている背面部(６)によって前記盲孔(１１)内に保持される円筒形ピンで構成してあることを特徴とする、請求項８〜１１のうちのいずれか１つに記載の装置。
【請求項１３】
請求項８〜１２のうち１つまたはいくつかの特徴を含むことを特徴とする、請求項１〜７のうちのいずれか１つに記載の装置。
【請求項１４】
第１の摺動アタッチメント(２)のノッチ（２３）が、第２の非摺動アタッチメント(３)のノッチ(３３)よりも幅広となっていてこの第１のアタッチメント(２)の長手方向移動を許すようになっていることを特徴とする、請求項１３に記載の装置。
【請求項１５】
前記盲孔(１１)および前記穴(１２)が直交方向に前記横方向孔(１０)と交差していることを特徴とする、請求項１３〜１４のうちのいずれか１つに記載の装置。
【請求項１６】
請求項１〜１５のうちのいずれか１つに記載のブレスレット固定装置を含むことを特徴とする腕時計。
【発明の詳細な説明】
【技術分野】
【０００１】
本発明は、ブレスレット・ピンを受け入れるようになっている第１のアタッチメントおよび第２のアタッチメントからなるブレスレットを固定するための装置に関する。
本発明は、特に、時計ケースにブレスレットを取り付けるための機構に関するものであるが、一般的には、ブレスレットの固定を必要とするなんらかの用途、たとえば種々の宝石についても役立つ。
【背景技術】
【０００２】
この分野において、使用者が衣装に合わせるとか、外観を変えたいとかのためにたとえば腕時計のブレスレットを交換できることを望むことがますます多くなっていることは知られている。この目的のためには、ブレスレットの交換ができるだけ容易であり、なんらかの特殊な固定装置と共に独特なやり方で使用できるツールも特殊なブレスレットも必要としないことが望ましい。さらに、固定装置およびブレスレットを固定装置上に固定する方法は、ブレスレットまたは腕時計を着用するときに使用者に不快感を与えてはならない。
【０００３】
現在、これらの問題の解決策を得ようとしている多数の装置が知られている。だが、これら公知の装置は、あらゆる場合に満足できるものではない。特に、交換可能なブレスレットを取り外し、別のブレスレットをその場所に挿入するのに特殊なツールを必要とするし、或る種の独特な固定を行えるように設計した特殊なブレスレットを必要とするのである。さらに、従来の固定装置は、通常、着用したときに特に最高の快適性を与えることはない。同時に、多数の現存する装置は、複雑であり、美的ではなく、価格もかなり高い。
【発明の開示】
【発明が解決しようとする課題】
【０００４】
本発明の目的は、現存のシステムの上記欠点を克服し、特に、ブレスレットの交換を迅速かつ容易に行うことができると同時に使用者の快適さを向上させるブレスレット用固定装置を提供することにある。
したがって、本発明は、その目的を果たすために、特許請求の範囲の請求項１および請求項８に記載した特徴を有する固定装置を提供する。
【０００５】
本発明による装置は、特に、アタッチメントの少なくとも１つがピンとほぼ平行の軸を含むという事実およびこの軸が通常は時計ケースによって構成される本体の横方向孔内に摺動自在に配置されるようになっているという事実よって特徴付けられる。さらに、本装置は、前記横方向孔と交差して本体に設けた穴内に配置した錠止要素、たとえば、押しボタンを含み、これがアタッチメントの少なくとも１つの軸と協働して、これらのアタッチメントの少なくとも１つをその凹所内に錠止したり、解錠したりすることができるようになっている。
【０００６】
別の実施形態においては、本装置は、また、ピンとほぼ平行な軸を有する少なくとも１つのアタッチメントを含むが、この軸は、本体の前記横方向孔内に回動自在に配置されるようになっている。この場合、本装置は、「出張りアバットメント」と呼ぶ少なくとも１つの保持要素を含み、この保持要素は、たとえば、円筒形ピンによって構成する。各保持要素は、前記横方向孔と交差して本体に設けた盲孔内に配置され、対応するアタッチメントの軸と協働して、使用位置における軸線方向の保持を可能とすると共に、これらのアタッチメントのうちの少なくとも１つをその凹所内で回動させることができるようになっている。
【０００７】
本装置のこれらの２つの実施形態の組み合わせが可能であり、この組み合わせが好ましい実施形態を構成する。
【発明の効果】
【０００８】
これらの手段よって、固定装置の一部、特に、ピンの軸線に対してほぼ平行に装着したケース出張りが横方向直線運動を行って、ブレスレットを解放し、したがって、使用者が、本装置の他の部分を分解することなくボタンに単に圧力をかけるだけでツールなしに迅速かつ容易に交換を行うことができるという利点が得られる。さらに、出張りまたはアタッチメントの関節結合部を回動軸上に設けてもよい。この場合、出張りをその軸線まわりに揺動させ、ブレスレットの端部を使用者の手首の形にさらにぴったりと一致させることができる。ここで、固定装置が、それと協働するブレスレット部分になんらかの手段または特殊構造を必要とせず、ブレスレットを各端部で単純な普通のピンによって保持できるということに注目されたい。ブレスレットは、皮革、金属その他任意の適当な材料で作ってあってよい。腕時計の場合、機械作用が時計ケースの密封性に何も干渉しないので、腕時計は完全に密封されたままである。アセンブリの外観が変わることもなく、時計ケースおよび出張りは相互に固定可能なままである。システムの簡潔性、機械加工の費用および容易さが、本発明による装置のさらなる利点である。
他の利点は、特許請求の範囲の従属請求項に記載した特徴および図面に関連した以下のさらに詳しい説明から明らかとなろう。
【発明を実施するための最良の形態】
【０００９】
添付図面は、本発明の一実施形態を例示している。
以下、本発明の一実施形態を例示している添付図面を参照しながら本発明を詳しく説明する。
上述したように、本発明は、特に、時計ケースにブレスレットを取り付けるための機構に関するものであるが、一般的に、たとえば種々の宝石類のための、腕時計本体に類似する本体を有し、特に宝石を受け入れるようになっているブレスレットの固定を必要とする任意の用途にとって役に立つ。この用途は当業者には明らかであるから、以下、腕時計に適用した本発明による固定装置の場合のみを説明する。
【００１０】
図１ａ、１ｂを参照して、本発明による装置の種々の部分が明瞭に識別でき、図２ａ、２ｂがこれらの部分を組み立て状態で示している。時計ケース１は、本発明の適用範囲では重要ではなく、したがって、ここでは説明しない腕時計のムーブメントその他の部分を受け入れるようになっており、主として固定装置を受け入れるようになっている構成物または要素を含む。
【００１１】
まず、時計ケース１は、直径方向に対向して位置し、腕時計バンドを受け入れるようになっている円周部分に、ブレスレットのピン８に対してほぼ平行に、時計盤面または時計背面に対して平行な平面にある時計盤面の３時〜９時軸線まで延びている横方向孔１０ａおよび１０ｂを含む。これらの孔１０は、時計ケース１の前記円周部分を横切っていると好ましいが、以下の説明でさらに明らかになるように、時計ケースの各側部にあり、したがって、ただ１つの開口部を有する盲孔１０であってもよい。
【００１２】
ムーブメントの両側にある時計ケース１のこれらの円周部分において、時計ケース１には、盲孔１１ａ〜１１ｄ（この好ましい実施例では４つある）も設けてあり、これらの盲孔の位置がほぼ長方形を形成している。これらの盲孔は、時計ケース背面に対して直角であり、実際には、図１ａ〜２ｄに示すように対応する横方向孔１０に対して直角である。
【００１３】
さらに、時計ケース１は、好ましくは時計背面の平面に対して直角に延びている穴１２ａおよび１２ｂを含む。これらの穴１２は、ムーブメントの両側で時計ケース１の前記円周部分のほぼ中央に位置する。場合によっては、それぞれ、盲孔１１ａ、１１ｂ間、盲孔１１ｃ、１１ｄ間に位置し、また、時計ケース背面に開口部を有する。これらの穴１２の横断面形状は、横方向孔１０ａ、１０ｂおよび盲孔１１ａ〜１１ｄの横断面形状と同様であり、好ましくは円形であるが、たとえば、矩形であってもよいし、別の形状であってもよい。
【００１４】
横方向孔１０ａ、１０ｂの各々には、第１の時計ケース出張り２および第２の時計ケース出張り３を配置するようになっており、これらの出張りのうちの少なくとも１つは、図面に示す好ましい実施形態においては、ブレスレットのピン８の軸線に対してほぼ平行に長手方向移動を行うことができるように装置してある。これらの出張り２、３は、そのうちの少なくとも１つの長手方向移動に加えて、角度動作可能であるように装着してあると好ましい。その機構は、上述した時計ケース１の２つの側部で同一である。すなわち、腕時計の「５:００」のところの出張りは「１１:００」のところの出張りと同じであり、同じことが「１:００」および「７:００」についても当てはまる。
【００１５】
横方向孔１０ａ、１０ｂ内に配置するために、図３ａ〜３ｅおよび４ａ〜４ｄに概略的に示す第１の出張り２および第２の出張り３は、各々、長さが異なっていてもよい雄型の円筒状の軸２２、３２を含む。添付図面に示す長手方向に移動可能なただ１つの出張りの好ましい例では、移動可能な出張り２は出張り３と同様であるが、戻しばね７の作用の下に移動可能な出張り２を錠止することになる押しボタン４と係合できる溝２５を有する。２つの出張りが摺動自在に装着されている場合には、出張り３も溝３５（図示せず）を含む。したがって、図３ａ〜３ｅに詳細に示す出張り２は、ブレスレットのピン８の軸線に対してほぼ平行な長手方向移動を行えるように１方向に移動可能であり、以下にさらに詳細に説明する押しボタン４の助けを借りて錠止、解錠可能である。明らかなように、第１の出張り２のみの長手方向移動の場合、第２の出張り３は、時計ケース１と一体に作ることができ、この時計ケースに設けた横方向孔１０が、上記のように、ただ１つの開口部を含む。長手方向移動だけの場合、これらの孔１０の横断面の形状はそれほど重要ではなく、たとえば矩形でも円形でもよく、出張り２および３の軸２２、場合によっては、軸３２の形状および寸法に一致するのが唯一の条件である。後にさらに明らかにするように、これらの横方向孔１０の円形横断面は、角度的な変位ができるように出張りを装着した場合に有利である。出張り２および３の時計ケース１への固定を行うようになっている軸２２および３２に加えて、出張りは、各々、時計ケース１の外側に、その普通の意味で出張りを形成する円弧状部分２１、３１を有する。内側では、これらの円弧状部分２１、３１は、各ブレスレットの全長を貫通するピン８の端部を受け入れるようになっている滑らかな穴２６、３６を含む。
【００１６】
時計ケース１の各側部にある出張り２、３のうち１つだけが摺動可能である場合には、上記の配置で充分であり、押しボタン４の助けを借りて時計ケースの各側部にある少なくとも１つの可動出張りを解錠、錠止し、ツールに頼ることなく、腕時計ブレスレットの交換を容易に行うことができる。
【００１７】
上記のシステムを出張り２、３の角度的移動と組み合わせると望ましく、有利である。変形例としては、固定装置の出張りが回動しかしないことも予想可能である。それにもかかわらず、摺動と回動を組み合わせた移動の場合も好ましい解決策として残る。出張り２、３のこの角度的変位を行うと共に、上記の摺動とこの角度的移動の組み合わせを可能にするために、各出張り２、３は、図３ａ〜３ｅおよび４ａ〜４ｄに示すように、ノッチ２３、３３を含む。これらのノッチは、図３ｄまたは４ｄに横断面で示すように、１８０度より大きい、たとえば２００度の輪郭を有する。ノッチの輪郭の２つの傾斜線は、好ましくは同じ長さを有する。したがって、各出張り２、３は、ノッチと、アバットメントとして役立っている円筒形ピン５との協働によって所定位置に保持される。これらのピンは、時計ケース１の盲穴１１ａ〜１１ｄ内に配置してあり、図２ｄおよび図６に示すように背面部６によって所定位置に保持される。
【００１８】
各出張りアバットメント５は、２つの機能を有する。特に、押しボタン４およびそれを保持する対応する溝２５、３５を必要としない回動運動だけの場合に、出張りのノッチ内に設置したとき、出張りアバットメント５がその凹所から出るのを防止し、したがって、横方向孔内に出張りを確実に保持する。それにもかかわらず、出張りアバットメント５は、その輪郭によって予め決まる最大角度（上述の場合には、たとえば、２００°−１８０°＝２０°）または必要に応じて選択できる別の角度まで出張り２、３の回動を許す。したがって、このアバットメント５は、出張り２、３の角度的移動を制限する。出張りアバットメント５の形状に関して、時計ケース１の凹所内の図２ｄに示すような円筒形ピンは、盲孔１１に挿入し、横方向孔１０の半径方向周縁部分に配置し、軸２２、３２に設けたノッチ２４、３４の助けを借りて出張り２、３を保持するのに適した任意他の部片と交換できる。これらの部片およびこれらの盲孔１１は必ずしも円筒状である必要はない。出張りの回動を可能にするためには、出張り２、３の軸２２、３２、および特に横方向孔１０ａ、１０ｂは、円形断面を待たなければならない。その場合、軸２２、３２の外径はこれらの孔１０の内径に一致する。単に摺動可能なだけで回動はしない出張りの場合にのみ、上述の横断面形状と異なる別の形状が考えられる。
【００１９】
回動出張りの場合、出張り２、３の雄型の軸２２、３２の端が半円形のフラップ２４／３４となっていると好ましい。図２ａまたは２ｂの部分横断面で示すように、２つの出張り２、３がその２つの軸２２、３２の回動中の任意の時点で互いに整合することになるように各出張り２、３のフラップ２４、３４は互いに対面している。したがって、２つの出張り２、３の揺動が同期する。ここで、１つの摺動出張り２のノッチ２３が回動出張り３のノッチに対してより大きな幅を備えていて、押しボタン４に圧力をかけて解錠した後に出張り２がその軸線に沿って並進できるようにしなければならないことに注目されたい。
【００２０】
２つの押しボタン４は、上述し、図１ａ、１ｂならびに図２ａ、２ｂに示すように、時計ケース１にこのために設けた穴１２ａ、１２内に垂直に配置してある。押しボタンの各々は、半径方向の楕円形開口部４１を有する。図５ａ〜５ｄに示すように、これらの開口部に出張り２および３が連結する。出張り２の解錠可能側で、プッシャ４は、長方形の開口部４１に設けたスロート部を含み、このスロート部は、この開口部の外周の一部、たとえば、押しボタン４の支持面とは反対側のこの外周の１／４部分を占有する突起４２を形成している。この突起４２の幅は、出張りのほぼ全周にわたって形成した溝２５の幅と一致しており、出張りの回動の障害になることはない。したがって、突起４２と溝２５の協働作用で、長手方向並進によるブロッキング・アンブロッキング機構を得ることができる。これは、たとえば、図２ｃの横断面でも見ることができる。また、出張り２の摺動、解錠側で、プッシャ４の開口部４１は面取り部４３を有し、この面取り部４３が出張り２の軸２２にある対応した面取り部２７と協働することで、新しいブレスレットの固定中に出張り２に圧力をかけるだけで嵌め込むことができる。したがって、プッシャは、この目的のために設けたばね７の作用に抗して、その解錠前方位置から錠止位置へ引っ込むことができる。最後に、押しボタン４は、穴１２の開口部に向いた端部のところに、時計背面部６に対する支持面として役立つ部分４４を有し、この部分は、対応する開口部を備えており、プッシャ４にアクセスできるようにしており、その結果、前記ばね７が、部分４４の助けを借りて裏面に対してプッシャを押圧する（図２ｃ参照）。押しボタン４のこの静止位置は、対応する摺動出張り２の錠止位置である。
【００２１】
これらの手段によって、本装置は、摺動自在に装着した出張り２の、ブレスレットの軸に沿った長手方向移動でブレスレットを解放し、それによって、使用者が、固定装置のいかなる部片のいかなる分解を行うことなく、単にプッシャ４に圧力を加えるだけでツールなしにブレスレットの交換を迅速かつ容易に行うことができる。この固定装置は、また、出張り２、３の回動も可能にしており、ブレスレットの端部を使用者の手首の形状にさらにぴったりと合わせることができる。出張り２、３のこれら２種類の移動を組み合わせることもちろん可能である。これは、プッシャ４を出張り２、３のいかなる角度位置においても作動させることができるという事実ならびに出張りが摺動出張り２のすべての長手方向位置において回動できるという事実による。したがって、本発明によれば、まさにモジュール式の、特に摺動、回動または好ましくは両方のモジュール式であるブレスレットの固定装置を得ることができる。
【００２２】
さらに、ブレスレットの端部の各々を通過している腕時計ブレスレットのピン９は、それらの端部に軸受が有る無しにかかわらず一体鋳造の軸によって構成できる。この固定装置にばね付きピンを組み込むのは無駄である。ブレスレットを交換するのに必要な長手方向移動が出張りの摺動で行われるからである。
【００２３】
ここに説明した発明は、他の技術的特徴も享受できる。たとえば、スロート部に設けたばねまたはボールの仕組みによる押圧によって移動可能な出張りの２つの位置を割り出すことができる。これによれば、押しボタン４の開いた、ブロックされた位置を視覚化できる。操作中の「ノッチ」の感じに加えて、この特徴は二重の安全対策を与える。同じようにして、押しボタン４の代わりに引張りボタンを用いても同じ結果を得ることができる。
【００２４】
また、出張りアバットメント５の代わりに、ピンと同じ役割を果たす４つの特殊ねじや、所定位置に保持するための任意他の装置を用いることもできる。
【００２５】
最後に、さらにシステムを簡略化するために、たとえば摺動するだけの出張りの場合に、先に説明したように、すでに２つの固定出張りを含む一体鋳造の時計ケース１を有するハウジングを設け、アセンブリを構成している２つの摺動・ブロック可能な出張りがブレスレットの迅速な交換を可能にするようにすることもできる。類推すれば、プッシャ４に対する配置または出張り２、３の回動のみの場合における錠止システムさえ省略できる。この場合、１つの出張り当たりにただ１つの固定軸を設け、横方向孔１０のすべてを貫通するようにすることも可能である。この場合、第２の出張りは、この軸の自由端に螺合または任意他のやり方で固定することになる円弧状部分によってのみ構成する。さらに、この場合、ただ１つの出張りアバットメントおよび軸上のただ１つの対応するノッチ軸を２つの出張りを保持し、回動させることができるように設ければ充分である。
【００２６】
装置の動作を正確に説明するために、好ましい実施例について、以下、図７ａ〜７ｈを参照する。図７ａ、７ｂは、部分側断面および横断面で、押しボタン４を使用者が押したときの状況を示している。この場合、摺動出張り２は、プッシャの形状によってもはやその溝２５内に保持されておらず、解錠可能である。次いで、使用者は、押しボタン４を押し下げ続けることよって移動可能な出張り２を外方へ摺動させることができる。したがって、ブレスレットのピン８が解放されることになる。この状況が図７ｃ、７ｄに示してある。別のブレスレットを挿入するためには、図７ｅ、７ｆに示すように、ピン８の枢軸を出張り２、３の滑らかな穴２６、３６と確実に整合させることによって移動可能な出張り２を再び押すだけで充分である。この目的のために、移動可能な出張り２ならびに押しボタン４の形状は、前述の面取り部２７、４３のため、移動可能な出張り２が押しボタン４に加えられたばね７の力に打ち勝つことができるようにしてある。この移動の終りで、摺動出張り２が押しボタン４と係合する。よって、押しボタン４が戻しばね７によって時計ケースの背面部６に対して押圧される。したがって、図７ｇ、７ｈに示すようにアセンブリが再び錠止される。
【００２７】
本発明は、特に、ブレスレットの交換をさらに容易かつ迅速に行うのに役立つ。この交換は、固定装置の長手方向移動により、ツールなしで、ケーシングから部片を取り外すことなく、実施するようになっている。
ブレスレットが手首の形状にさらにぴったりと合うために、出張りの関節作用で快適性が向上する。
同時に、システムの簡潔さと機械加工の容易さとで、適度なコストを保証できる。
【００２８】
したがって、アセンブリの美観を低下させることもなく、時計ケースおよびその出張りをセット可能にしたままで皮革、合成材料または金属リンクからなる標準ブレスレットの装着が容易になる。
【図面の簡単な説明】
【００２９】
【図１ａ】本発明による装置の一実施形態の展開図を示している。
【図１ｂ】本発明による装置の一実施形態の展開図を示している。
【図２ａ】装着済みの装置の部分断面を含む底面図である。
【図２ｂ】装着済みの装置の部分断面を含む底面図である。
【図２ｃ】装着済みの装置の部分断面を含む側面図である。
【図２ｄ】装着済みの装置の部分断面を含む側面図である。
【図３ａ】摺動自在に装着されるようになっている第１の時計ケース出張りの斜視図である。
【図３ｂ】摺動自在に装着されるようになっている第１の時計ケース出張りの頂平面図である。
【図３ｃ】摺動自在に装着されるようになっている第１の時計ケース出張りの側面図である。
【図３ｄ】摺動自在に装着されるようになっている第１の時計ケース出張りの部分断面を含む側面図である。
【図３ｅ】摺動自在に装着されるようになっている第１の時計ケース出張りの部分断面を含む側面図である。
【図４ａ】第２の時計ケース出張りの斜視図である。
【図４ｂ】第２の時計ケース出張りの部分断面を含む頂平面図である。
【図４ｃ】第２の時計ケース出張りの側面図である。
【図４ｄ】第２の時計ケース出張りの部分断面を含む側面図である。
【図５ａ】プッシャの斜視図である。
【図５ｂ】プッシャの頂平面図である。
【図５ｃ】プッシャの側面図である。
【図５ｄ】プッシャの断面図である。
【図６】時計ケース、これに機械加工されている出張りのための凹所および出張りのアバットメントを保持するようになっている時計ケース背面部を概略的に示している。
【図７ａ】本発明による固定装置の動作を説明するための側断面図である。
【図７ｂ】本発明による固定装置の動作を説明するための横断面図である。
【図７ｃ】本発明による固定装置の動作を説明するための側断面図である。
【図７ｄ】本発明による固定装置の動作を説明するための横断面図である。
【図７ｅ】本発明による固定装置の動作を説明するための側断面図である。
【図７ｆ】本発明による固定装置の動作を説明するための横断面図である。
【図７ｇ】本発明による固定装置の動作を説明するための側断面図である。
【図７ｈ】本発明による固定装置の動作を説明するための横断面図である。
【図１ａ】
2007506087.tif 000003
【図１ｂ】
2007506087.tif 000004
【図２ａ】
2007506087.tif 000005
【図２ｂ】
2007506087.tif 000006
【図２ｃ】
2007506087.tif 000007
【図２ｄ】
2007506087.tif 000008
【図３ａ】
2007506087.tif 000009
【図３ｂ】
2007506087.tif 000010
【図３ｃ】
2007506087.tif 000011
【図３ｄ】
2007506087.tif 000012
【図３ｅ】
2007506087.tif 000013
【図４ａ】
2007506087.tif 000014
【図４ｂ】
2007506087.tif 000015
【図４ｃ】
2007506087.tif 000016
【図４ｄ】
2007506087.tif 000017
【図５ａ】
2007506087.tif 000018
【図５ｂ】
2007506087.tif 000019
【図５ｃ】
2007506087.tif 000020
【図５ｄ】
2007506087.tif 000021
【図６】
2007506087.tif 000022
【図７ａ】
2007506087.tif 000023
【図７ｂ】
2007506087.tif 000024
【図７ｃ】
2007506087.tif 000025
【図７ｄ】
2007506087.tif 000026
【図７ｅ】
2007506087.tif 000027
【図７ｆ】
2007506087.tif 000028
【図７ｇ】
2007506087.tif 000029
【図７ｈ】
2007506087.tif 000030
【国際調査報告】
2007506087.tif 000031
2007506087.tif 000032
2007506087.tif 000033
2007506087.tif 000034